(57)【特許請求の範囲】
【請求項１】
固体電子撮像素子を含み，一定周期で上記固体電子撮像素子の露光を繰返し，インタレース走査により１フレームについて異なるタイミングで露光して得られる第１フィールドと第２フィールドとの映像信号を交互に出力するとともに，所定のタイミングで上記固体電子撮像素子の第１フィールドの受光部と第２フィールドの受光部とを同時に露光して得られた第１フィールドと第２フィールドとの映像信号を出力する撮像手段，
上記所定タイミングにおける同時露光により得られた第１フィールドと第２フィールドとの映像信号であることを識別するための符号を出力する識別符号出力手段，ならびに
上記撮像手段から出力される映像信号および上記識別符号出力手段から出力される識別符号を記録媒体に記録する記録手段，
を備えたムービ・ビデオ・カメラ。
【請求項２】
一定周期で固体電子撮像素子の露光を繰返し，インタレース走査により１フレームについて異なるタイミングで露光して得られる第１フィールドと第２フィールドとのムービ用映像信号，所定のタイミングで上記固体電子撮像素子の第１フィールドの受光部と第２フィールドの受光部とを同時に露光して得られた第１フィールドと第２フィールドとのムービ・スチル用映像信号および上記所定タイミングにおける同時露光により得られた第１フィールドと第２フィールドとの映像信号であることを識別するための符号が記録された記録媒体から上記ムービ用映像信号，上記ムービ・スチル用映像信号および上記符号を読取る読取手段，
上記読取手段により読取られたムービ用映像信号およびムービ・ビデオ用映像信号を再生する再生手段，
上記読取手段により読取られた上記識別符号を抽出する識別符号抽出手段，ならびに
上記識別符号抽出手段により抽出された識別符号にもとづいて，上記読取手段により読取られたムービ・スチル用映像信号を抽出して出力するムービ・スチル用映像信号抽出手段，
を備えたムービ・ビデオ信号の再生装置。
【請求項３】
一定周期で固体電子撮像素子の露光を繰返し，インタレース走査により１フレームについて異なるタイミングで露光して得られる第１フィールドと第２フィールドとの映像信号を交互の出力するとともに，所定のタイミングで上記固体電子撮像素子の第１フィールドの受光部と第２フィールドの受光部とを同時に露光して得られた第１フィールドと第２フィールドとの映像信号を得，
上記所定タイミングにおける同時露光により得られた第１フィールドと第２フィールドの映像信号であることを識別するための符号を生成し，
上記得られた映像信号および生成された識別符号を記録媒体に記録する，
ムービ・ビデオ信号の記録方法。
【請求項４】
一定周期で固体電子撮像素子の露光を繰り返し，インタレース走査により１フレームについて異なるタイミングで露光して得られる第１フィールドと第２フィールドとのムービ用映像信号，所定のタイミングで上記固体電子撮像素子の第１フィールドの受光部と第２フィールドの受光部とを同時に露光して得られた第１フィールドと第２フィールドのムービ・スチル用映像信号および上記所定タイミングにおける同時露光により得られた第１フィールドと第２フィールドとの映像信号であることを識別するための符号が記録された記録媒体から上記ムービ用映像信号，上記ムービ・スチル用映像信号および上記符号を読取り，
上記読取られたムービ用映像信号およびムービ・ビデオ用映像信号を再生し，
上記読取られた上記識別符号を抽出し，
上記抽出された識別符号にもとづいて，上記読取られたムービ・スチル用映像信号を抽出して出力する，
ムービ・ビデオ信号の再生方法。
【発明の詳細な説明】
【０００１】
【技術分野】
この発明は，ムービ・ビデオ信号を記録媒体に記録するカメラおよび方法ならびに記録媒体に記録されたムービ・ビデオ信号を再生する装置および方法に関する。
【０００２】
【発明の背景】
ムービ・ビデオ・カメラでは１／６０秒ごとに第１フィールドと第２フィールドの撮影が繰返され，撮影により得られたムービ・ビデオ信号がビデオ・テープに記録される。ビデオ・テープに記録されたムービ・ビデオ信号が読取られ，ムービ画像が得られる。
【０００３】
ビデオ・テープに記録されたムービ・ビデオ信号によって表わされる画像をプリント画像として得る場合，フィールド画よりもフレーム画の方が垂直解像度が優れているのでフレーム画がプリントされる。このフレーム画は，１／６０秒ごとに撮影して得られた第１フィールドと第２フィールドの画を組み合わせることにより得られる。このため動いている被写体をプリントする場合にはぶれたプリント画像となってしまう。したがって動いている被写体をプリントする場合，フレーム・シャッタを用いて１／３０秒ごとにフレーム画を撮影している。
【０００４】
しかしながら，フレーム・シャッタを用いて１／３０秒ごとにフレーム画を撮影し，ムービ再生のために１／６０秒ごとにムービ・ビデオ信号としてムービ再生を行なうとフリッカが生じ，ムービ画像に違和感が生じる。
【０００５】
【発明の開示】
この発明は，垂直解像度の高いプリント画像を得られるとともに，違和感のないムービ画像を得られるようにすることを目的とする。
【０００６】
この発明のムービ・ビデオ・カメラは，固体電子撮像素子を含み，一定周期で上記固体電子撮像素子の露光を繰返し，インタレース走査により１フレームについて異なるタイミングで露光して得られる第１フィールドと第２フィールドの映像信号を交互に出力するとともに，所定のタイミングで上記固体電子撮像素子の第１フィールドの受光部と第２フィールドの受光部とを同時に露光して得られた第１フィールドと第２フィールドの映像信号を出力する撮像手段，上記所定タイミングにおける同時露光により得られた第１フィールドと第２フィールドの映像信号であることを識別するための符号を出力する識別符号出力手段，ならびに上記撮像手段から出力される映像信号および上記識別符号出力手段から出力される識別符号を記録媒体に記録する記録手段を備えていることを特徴とする。
【０００７】
この発明のムービ・ビデオ信号の記録方法は，一定周期で固体電子撮像素子の露光を繰返し，インタレース走査により１フレームについて異なるタイミングで露光して得られる第１フィールドと第２フィールドの映像信号を交互に出力するとともに，所定のタイミングで上記固体電子撮像素子の第１フィールドの受光部と第２フィールドの受光部とを同時に露光して得られた第１フィールドと第２フィールドの映像信号を得，上記所定タイミングにおける同時露光により得られた第１フィールドと第２フィールドの映像信号であることを識別するための符号を生成し，上記得られた映像信号および生成された識別符号を記録媒体に記録することを特徴とする。
【０００８】
この発明によると，異なるタイミングで露光して得られる第１フィールドと第２フィールドの上記映像信号，所定のタイミングで同時に露光して得られる第１フィールドと第２フィールドの上記映像信号および上記識別符号が記録媒体に記録される。
【０００９】
記録媒体から映像信号を読取り，ムービ画像の再生が可能となる。異なるタイミング（たとえば１／６０秒ごと）で，露光を繰返して第１フィールドと第２フィールドの映像信号を得ているのでフリッカを防止でき，ムービ再生画像のちらつき感を防止できる。
【００１０】
また記録媒体から上記映像信号および上記識別符号を読取り，識別符号を抽出することにより同時に露光して得られる第１フィールドと第２フィールドの映像信号を抽出でき，この映像信号からフレーム画のプリント画像が得られる。同時に露光されている映像信号からプリント画像が得られるので，動きのある被写体をプリントした場合であってもぶれの無いプリント画像が得られる。
【００１１】
この発明のムービ・ビデオ信号の再生装置は，一定周期で固体電子撮像素子の露光を繰返し，インタレース走査により１フレームについて異なるタイミングで露光して得られる第１フィールドと第２フィールドのムービ用映像信号，所定のタイミングで上記固体電子撮像素子の第１フィールドの受光部と第２フィールドの受光部とを同時に露光して得られた第１フィールドと第２フィールドのムービ・スチル用映像信号および上記所定タイミングにおける同時露光により得られた第１フィールドと第２フィールドの映像信号であることを識別するための符号が記録された記録媒体から上記ムービ用映像信号，上記ムービ・スチル用映像信号および上記符号を読取る読取手段，上記読取手段により読取られたムービ用映像信号およびムービ・ビデオ用映像信号を再生する再生手段，上記読取手段により読取られた上記識別符号を抽出する識別符号抽出手段，ならびに上記識別符号抽出手段により抽出された識別符号にもとづいて，上記読取手段により読取られたムービ・スチル用映像信号を抽出して出力するムービ・スチル用映像信号抽出手段を備えていることを特徴とする。
【００１２】
この発明のムービ・ビデオ信号の再生方法は，一定周期で固体電子撮像素子の露光を繰返し，インタレース走査により１フレームについて異なるタイミングで露光して得られる第１フィールドと第２フィールドのムービ用映像信号，所定のタイミングで上記固体電子撮像素子の第１フィールドの受光部と第２フィールドの受光部とを同時に露光して得られた第１フィールドと第２フィールドのムービ・スチル用映像信号および上記所定タイミングにおける同時露光により得られた第１フィールドと第２フィールドの映像信号であることを識別するための符号が記録された記録媒体から上記ムービ用映像信号，上記ムービ・スチル用映像信号および上記符号を読取り，上記読取られたムービ用映像信号およびムービ・ビデオ用映像信号を再生し，上記読取られた上記識別符号を抽出し，上記抽出された識別符号にもとづいて，上記読取られたムービ・スチル用映像信号を抽出して出力することを特徴とする。
【００１３】
この発明によると，異なるタイミングで露光して得られる第１フィールドと第２フィールドの上記映像信号，所定のタイミングで同時に露光して得られる第１フィールドと第２フィールドの上記映像信号および上記識別符号が記録媒体に記録されている。
【００１４】
記録媒体から映像信号が読取られ，ムービ画像の再生が可能となる。異なるタイミング（たとえば１／６０秒ごと）で，露光を繰返して第１フィールドと第２フィールドのムービ用映像信号を得ているのでフリッカを防止でき，ムービ再生画像のちらつき感を防止できる。
【００１５】
また記録媒体から上記ムービ用映像信号，ムービ・スチル用映像信号および上記識別符号を読取り，識別符号を抽出することにより同時に露光して得られる第１フィールドと第２フィールドのムービ・スチル用映像信号を抽出でき，このムービ・スチル用映像信号からフレーム画のプリント画像が得られる。同時に露光されているムービ・スチル用映像信号からプリント画像が得られるので，動きのある被写体をプリントした場合であってもぶれの無いプリント画像が得られる。
【００１６】
【実施例の説明】
図１はこの発明の実施例を示すもので，アナログ・ムービ・ビデオ・カメラの電気的構成を示すブロック図である。
【００１７】
ムービ・ビデオ・カメラは図３に示すように１／６０秒ごとに第１フィールドの画像を表わすビデオ信号と第２フィールドの画像を表わすビデオ信号とを交互にビデオ・テープに記録するものである。図１に示すムービ・ビデオ・カメラは，通常は１／６０秒ごとに撮影して得られた第１フィールドの画像を表わすビデオ信号と第２フィールドの画像を表わすビデオ信号とを交互に記録しているが，所定のタイミング（このタイミングはムービ画像として再生したときに，ユーザにちらつき感を与えない程度のタイミングであれば良い）で同時に撮影して得られた第１フィールドの画像を表わすビデオ信号と第２フィールドの画像を表わすビデオ信号とを記録するものである。これにより第１フィールドの画像と第２フィールドの画像とを同時に撮影して得られたフレーム画像を用いてプリント画像を得ることができ，かつムービ画像として再生したときにもユーザに画像のちらつき感を与えることを防止できる。
【００１８】
図１を参照して，ムービ・ビデオ・カメラには固体電子撮像素子としてのＣＣＤ１１が含まれている。このＣＣＤ１１は，第１フィールドの画像と第２フィールドの画像とを１／６０秒ごとに同時に撮影し，第１フィールドの画像を表わすビデオ信号と第２フィールドの画像を表わすビデオ信号とを同時に別々に出力することができるもので，タイミング・ジェネレータ１０によって露光および信号電荷の掃出しが制御される。
【００１９】
ＣＣＤ１１の構成が図２に示されている。
【００２０】
図２において，ＣＣＤ１１には信号電荷を蓄積するための多数の光電変換素子２５が配置されている。光電変換素子２５に隣接して，光電変換素子２５に蓄積された信号電荷を垂直方向に転送するための垂直転送路２７が配置されている。光電変換素子２５と垂直転送路２７との間には，光電変換素子２５に蓄積された信号電荷を垂直転送路２７に転送するための転送ゲート２６が設けられている。
【００２１】
図２において，垂直転送路２７の下側は垂直転送路２７の出力側であり，この垂直転送路２７の出力側に第１の水平転送路２８Ａおよび第２の水平転送路２８Ｂがそれぞれ接続されている。第１の水平転送路２８Ａの出力端子には増幅回路２９Ａが，第２の水平転送路２８Ｂの出力端子には増幅回路２９Ｂが接続されている。
【００２２】
奇数行の光電変換素子２５に蓄積された信号電荷は転送ゲート２６を介して垂直転送路２７から第１の水平転送路２８Ａに与えられ，増幅回路２９Ａから第１フィールドのビデオ信号として出力される。偶数行の光電変換素子２５に蓄積された信号電荷は転送ゲート２６を介して垂直転送路２７から第２の水平転送路２８Ｂに与えられ，増幅回路２９Ｂから第２のビデオ信号として出力される。
【００２３】
再び図１を参照して，ＣＣＤ１１から出力される第１フィールドのビデオ信号は増幅回路１２Ａに与えられアナログ／ディジタル（Ａ／Ｄ）変換回路１３Ａにおいて第１フィールドのディジタル画像データに変換される。この第１フィールドのディジタル画像データはガンマ補正回路１４Ａにおいてガンマ補正が施こされ，フィールド・メモリ１５Ａに記憶される。
【００２４】
ＣＣＤ１１から出力される第２フィールドのビデオ信号は増幅回路１２Ｂを介してＡ／Ｄ変換回路１３Ｂに与えられて第２フィールドのディジタル画像データに変換され，ガンマ補正回路１４Ｂを介してフィールド・メモリ１５Ｂに記憶される。
【００２５】
フィールド・メモリ１５Ａおよび１５Ｂに記憶された第１フィールドおよび第２フィールドのディジタル画像データは読出され，マルチプレクサ１６に与えられる。マルチプレクサ１６において，通常は第１フィールドのディジタル画像データと第２フィールドのディジタル画像データとが１／６０秒ごとに交互に出力されるように入力するディジタル画像データが選択される。図３に示すように所定のタイミングｔにおいては，同時撮影によって得られた第１フィールドのディジタル画像データと第２フィールドのディジタル画像データとの両方とも選択される。また所定のタイミングｔの１／６０秒後のタイミングｔ１  においては第１フィールドおよび第２フィールドのディジタル画像データの両方ともマルチプレクサ１６から出力されない。
【００２６】
マルチプレクサ１６から出力されたディジタル画像データは同期信号およびＰＩ信号付加回路１７に与えられる。同期信号およびＰＩ信号付加回路１７は，入力する第１フィールドおよび第２フィールドのディジタル画像データについて同期信号（垂直同期信号，水平同期信号）を付加し，かつ所定のタイミングで同時撮影して得られた第１フィールドおよび第２フィールドのディジタル画像データについては図４に示すようにディジタル画像データのＶブランキング期間中に，同時撮影して得られた第１フィールドおよび第２フィールドのディジタル画像データであることを示すＰＩ（Ｐｒｉｎｔ  Ｉｎｈｉｂｉｔ  ）信号を付加する回路である。図４において，垂直同期信号Ｖ．ｓｙｎｃ  の期間に隣接するＶブランキング期間の一部にユーザが使用できる期間がある。このユーザ使用時間に，所定のタイミングで同時撮影して得られた第１フィールドおよび第２フィールドのディジタル画像データについてはＰＩ信号が付加される。このＰＩ信号を付加するタイミングは垂直同期信号Ｖ．ｓｙｎｃ  を基準に定まっており，ＰＩ信号の検出の有無により，同時撮影して得られた第１フィールドおよび第２フィールドのディジタル画像データか否かを判断することができる。Ｖブランキング期間にはＰＩ信号以外の信号も付加されるが，それらの信号についてはここでは省略する。
【００２７】
同期信号およびＰＩ信号付加回路１７から出力されたディジタル画像データはディジタル／アナログ（Ｄ／Ａ）変換回路１８に与えられ，アナログ・ビデオ信号に変換される。アナログ・ビデオ信号は増幅回路１９において増幅され，エンファシス回路２０においてエンファシス処理が施こされる。エンファシス回路２０から出力されるアナログ・ビデオ信号はＦＭ変調回路２１においてＦＭ変調が施こされ増幅回路２２を介して磁気ヘッド２３に与えられる。ＦＭ変調されたアナログ・ビデオ信号は磁気ヘッド２３によって磁気テープ２４に記録される。
【００２８】
図５は，ビデオ・テープに記録されたアナログ・ビデオ信号を再生する装置の電気的構成を表わすブロック図である。図５に示す再生装置はプリンタの機能を有している。
【００２９】
ビデオ・テープ２４に記録されたアナログ・ビデオ信号は磁気ヘッド３１によって読取られ増幅回路３２において増幅される。アナログ・ビデオ信号はＦＭ復調回路３３に与えられＦＭ復調が施こされ，ディエンファシス回路３４に与えられる。アナログ・ビデオ信号はディエンファシス回路３４においてディエンファシス処理が施こされ増幅回路３５において増幅される。増幅されたアナログ・ビデオ信号は表示装置３６ならびにプリンタ部７０に含まれるＡ／Ｄ変換回路３９およびＰＩ信号検出回路３７にそれぞれ与えられる。
【００３０】
表示装置３６にアナログ・ビデオ信号が与えられることにより，アナログ・ビデオ信号によって表わされるムービ画像が表示装置３６の表示画面上に表示される。この表示画面を見ながらプリントする所望の画面が見つけられる。
【００３１】
この所望の画面が表示されているときに図示しない入力装置からプリント指令が与えられると，ビデオ・テープ２４から読取られたアナログ・ビデオ信号はＡ／Ｄ変換回路３９においてディジタル画像データに変換されフレーム・メモリ４０に与えられる。また，アナログ・ビデオ信号はＰＩ信号検出回路３７に与えられ，垂直基準信号Ｖ．ｓｙｎｃ  を基準として記録されているＰＩ信号が検出される。ＰＩ信号検出回路３７においてＰＩ信号が検出されると，その検出信号が，タイミング・コントロール回路３８に与えられる。タイミング・コントロール回路３８にＰＩ信号の検出信号が入力すると，タイミング・コントロール回路３８からフレーム・メモリ４０に書込み制御信号が与えられＡ／Ｄ変換回路３９から出力されるディジタル画像データがフレーム・メモリ４０に記憶される。
【００３２】
ＰＩ信号検出回路３７においてＰＩ信号が検出されたときにフレーム・メモリ４０に記憶されるディジタル画像データは，同時撮影によって得られた第１フィールドのディジタル画像データと第２フィールドのディジタル画像データからなるフレーム画のデータであるから時間的なずれは生じていない。
【００３３】
フレーム・メモリ４０に記憶されたフレーム画のディジタル画像データはＤ／Ａ変換回路４１およびヘッド制御回路４４にそれぞれ与えられる。
【００３４】
ディジタル画像データはＤ／Ａ変換回路４１においてアナログ・ビデオ信号に変換され増幅回路４２を介してモニタ表示装置４３に与えられる。これにより，プリントすべき画像を確認できる。
【００３５】
ディジタル画像データがヘッド制御回路４４に与えられると，ヘッド制御回路４９によって印画ヘッド４５が制御され，フレーム・メモリ４０に記憶されたディジタル画像データによって表わされる画像がプリントされる。プリント画像は同時撮影によって得られた第１フィールドのディジタル画像データと第２フィールドのディジタル画像データとによって構成されるフレーム画であるから，垂直解像度が高く，しかもぶれの無いものとなる。
【００３６】
図６はディジタル・ムービ・ビデオ・カメラの電気的構成を示すブロック図である。
【００３７】
図６において，図１に示すものと同一物には同一符号を付して説明を省略する。図６に示すディジタル・ムービ・ビデオ・カメラも，図１に示すアナログ・ムービ・ビデオ・カメラと同様に図３に示すように１／６０秒ごとに第１フィールドの画像と第２フィールドの画像とを交互に撮影し，得られたビデオ信号をビデオ・テープに記録するものである。図１に示すムービ・ビデオ・カメラと同様に，通常は１／６０秒ごとに第１フィールドの画像と第２フィールドの画像とを交互に撮影しているが，所定のタイミングで第１フィールドの画像と第２フィールドの画像とを同時に撮影する。
【００３８】
図６に示すディジタル・ムービ・ビデオ・カメラにおいては同期信号およびＰＩ信号付加回路１７から出力されるディジタル画像データは所定の画像圧縮符号化回路５３およびＰＩ信号検出回路５１に与えられる。ディジタル画像データは画像圧縮符号化回路５３において，ＤＣＴ（Ｄｉｓｃｒｅｔｅ  Ｃｏｓｉｎｅ  Ｔｒａｎｓｆｏｒｍ  ）変換，ランレングス符号化などが行なわれ，フォーマット・データ列化回路５４に与えられる。またＰＩ信号検出回路５１において，同期信号およびＰＩ信号付加回路１７において付加されたＰＩ信号が検出され，付加データ化回路５２に与えられる。ディジタル画像データは付加データ化回路５２においてディジタル・ムービ・ビデオ・カメラのフォーマットに適合するように付加データ化される。付加データ化回路５２においてデータ化されたＰＩ信号はフォーマット・データ列化回路５４に与えられる。
【００３９】
圧縮符号化されたディジタル画像データおよび付加データ化されたＰＩ信号は，フォーマット・データ列化回路５４において，ディジタル・ムービ・ビデオ・テープ・レコーダの記録フォーマットに適合するようにデータ列化され，誤り訂正符号付加回路５５に与えられる。誤り訂正符号付加回路５５において誤り訂正符号が付加されると，変調回路５６において変調が施こされる。変調されたディジタル画像データは増幅回路２２において増幅され磁気ヘッド２３に与えられる。この磁気ヘッド２３により，ディジタル画像データが磁気テープ２４に記録される。
【００４０】
図７は，ディジタル・ムービ・ビデオ・カメラによってビデオ・テープに記録されたディジタル画像データを再生する装置の電気的構成を表わすブロック図である。図７に示す再生装置も図５に示す再生装置と同様，プリンタの機能を有している。図７において図５に示すものと同一物には同一符号を付して説明を省略する。
【００４１】
ビデオ・テープ２４に記録されたディジタル画像データが，磁気ヘッド３１によって読取られ増幅回路３２に与えられ増幅される。増幅回路３２から出力されるディジタル画像データは復調回路６１において復調され，誤り訂正回路６２に与えられる。誤り訂正回路６２においてディジタル画像データの誤り訂正処理が行なわれ，復号伸張回路６３および付加データ検出回路６５に与えられる。
【００４２】
復号伸張回路６３において，符号化されたディジタル画像データの復号処理および圧縮されたディジタル画像データの伸張処理が施こされ，ＰＩ信号付加回路６４に与えられる。また付加データ検出回路６５において付加データが検出されＰＩ信号生成回路６６に与えられ，付加データにもとづいてＰＩ信号が生成される。ＰＩ信号生成回路６６において生成されたＰＩ信号はＰＩ信号付加回路６４に与えられる。
【００４３】
ＰＩ信号付加回路６４において図４に示すようにディジタル画像データのＶブランキング期間に，ＰＩ信号が付加されＤ／Ａ変換回路６７に与えられる。Ｄ／Ａ変換回路６７において，ディジタル画像データからアナログ映像信号に変換され表示装置３６およびプリンタ部７０にそれぞれ与えられる。表示装置３６においてムービ画像が再生される。プリンタ部７０において，ＰＩ信号が検出され検出されたＰＩ信号にもとづいて同時撮影により得られた第１フィールドのディジタル画像データと第２フィールドのディジタル画像データとが検出され，これらのデータから垂直解像度が高く，かつぶれのないプリント画像が得られる。
【図面の簡単な説明】
【図１】アナログ・ムービ・ビデオ・カメラの電気的構成を示すブロック図である。
【図２】ＣＣＤの構成を示している。
【図３】アナログ・ビデオ信号の出力タイミングを示すタイミングチャートである。
【図４】ＰＩ信号とＶブランキング期間との関係を示している。
【図５】アナログ・ビデオ信号が記録されたビデオ・テープのプリント機能が付いた再生装置の電気的構成を示すブロック図である。
【図６】ディジタル・ムービ・ビデオ・カメラの電気的構成を示すブロック図である。
【図７】ディジタル画像データが記録されたビデオ・テープの，プリント機能が付いた再生装置の電気的構成を示すブロック図である。
【符号の説明】
１１  ＣＣＤ
１７  同期信号およびＰＩ信号付加回路
２３，３１  磁気ヘッド
３７  ＰＩ信号検出回路
４４  磁気ヘッド制御回路
４５  印画ヘッド
７０  プリンタ部
【図１】
0003566768.tif 000002
【図２】
0003566768.tif 000003
【図３】
0003566768.tif 000004
【図４】
0003566768.tif 000005
【図５】
0003566768.tif 000006
【図６】
0003566768.tif 000007
【図７】
0003566768.tif 000008